(57)【要約】【課題】予め設定されたメニュー画面などの表示項目が常に視聴者から見やすくなるように，該表示項目の表示位置や表示サイズを自動設定することのできる映像表示装置を提供すること。【解決手段】液晶表示部１に表示される映像を視聴する視聴者の位置Ｐ１０をリモコン受光部３１〜３４による受光レベルに基づいて検出し，その位置Ｐ１０からメニュー画面などの予め設定された表示項目が見やすくなるように表示位置や表示サイズを自動的に設定するように構成されている。例えば，位置Ｐ１０のように液晶表示部１から見て左方向に視聴者が居る場合には，メニュー画面Ｍ１０が，視聴者側から見て液晶表示部１の右側に寄せて表示される。【選択図】図５
2009147455.tif 000002
【特許請求の範囲】
【請求項１】
入力された映像信号に基づいて映像を表示する映像表示部と，前記映像表示部に表示される映像に関して少なくとも表示位置及び／又は表示サイズを設定する表示形態設定手段とを備えてなる映像表示装置であって，
前記映像表示部に表示される映像を視聴する視聴者の位置を検出する視聴者位置検出手段を備えてなり，
前記表示形態設定手段が，予め設定された表示項目の前記映像表示部上の表示位置及び／又は表示サイズを，前記視聴者位置検出手段によって検出された視聴者の位置に応じて設定してなることを特徴とする映像表示装置。
【請求項２】
視聴者の位置と，該位置から前記表示項目が見やすい前記映像表示部上の表示位置及び／又は表示サイズとを対応づけた表示設定情報が予め記憶された表示設定情報記憶手段を更に備えてなり，
前記表示形態設定手段が，前記視聴者位置検出手段によって検出された視聴者の位置と，前記表示設定情報記憶手段に記憶された前記表示設定情報とに基づいて，前記表示項目の映像表示部上の表示位置及び／又は表示サイズを設定するものである請求項１に記載の映像表示装置。
【請求項３】
前記表示項目が，当該映像表示装置に関する各種の設定を行うためのメニュー画面である請求項１又は２のいずれかに記載の映像表示装置。
【請求項４】
当該映像表示装置に無線信号を送信することによって当該映像表示装置の遠隔操作を行う遠隔操作器を更に備えてなり，
前記視聴者位置検出手段が，前記遠隔操作器の位置を検出することにより視聴者の位置を検出するものである請求項１〜３のいずれかに記載の映像表示装置。
【請求項５】
前記遠隔操作器から送信される無線信号を前記映像表示部の水平方向及び／又は垂直方向における異なる位置で受信する複数のリモコン受信手段と，前記リモコン受信手段各々による前記無線信号の受信強度を検出する受信強度検出手段とを更に備えてなり，
前記視聴者位置検出手段が，前記受信強度検出手段で検出された前記リモコン受信手段各々による前記無線信号の受信強度に基づいて前記遠隔操作器の位置を検出するものである請求項４に記載の映像表示装置。
【請求項６】
前記リモコン受信手段が，水平方向及び／又は垂直方向における異なる方向の所定範囲に無線通信の指向性を有する複数の受信部を備えてなり，
前記受信強度検出手段が，前記受信部各々による前記無線信号の受信強度を検出するものであって，
前記視聴者位置検出手段が，前記リモコン受信手段ごとに前記受信強度検出手段で検出された複数の前記受信部による無線信号の受信強度の比に基づいて該リモコン受信手段から前記遠隔操作器に対する角度を検出し，異なる前記リモコン受信手段についての検出角度に基づいて前記遠隔操作器の位置を検出するものである請求項５に記載の映像表示装置。
【請求項７】
前記遠隔操作器が，赤外線によって無線信号を送信するものである請求項４〜６のいずれかに記載の映像表示装置。
【請求項８】
前記表示形態設定手段が，視聴者の移動に伴って前記表示項目の表示位置及び／又は表示サイズを随時変更するものである請求項１〜７のいずれかに記載の映像表示装置。
【発明の詳細な説明】
【技術分野】
【０００１】
本発明は，入力された映像信号に基づいて映像を表示する映像表示装置に関し，特に，メニュー画面などの予め定められた表示項目についての表示位置や表示サイズを視聴者が見やすいように調整するための技術に関するものである。
【背景技術】
【０００２】
テレビジョン受像機やディスプレイ装置など，入力された映像信号に基づいて映像を表示する映像表示装置では，当該映像表示装置に関する各種の設定を行う場合，その設定を行うためのメニュー画面が映像表示部（液晶パネルなど）に表示される。また，映像表示部で表示中の映像に重なるようにスーパーインポーズ形式で前記メニュー画面を表示する機能が知られている。一般に，前記メニュー画面の表示位置や表示サイズは予め定められている。
ところが，視聴者の位置によって，その視聴者から見やすい画面上の位置は異なるため，メニュー画面の表示位置を固定しておくことは望ましくない。特に，映像表示部が大型化しつつある近年では，視聴者の位置によって画面の見え方が大きく変わる。例えば，視聴者が映像表示部の右端部に居る場合には，該映像表示部の左端部の表示映像が見づらいことがある。また，視聴者から映像表示部までの距離が近いときには，その映像表示部の表示画面全体を見渡すことができない場合もある。
一方，例えば特許文献１には，スーパーインポーズ形式で表示する画像の表示位置や表示サイズを，ユーザ操作によって自由に変更することのできる構成が開示されている。この技術を用いれば，視聴者は，自己の位置から見やすいようにメニュー画面の表示位置や表示サイズを変更することが可能である。
【特許文献１】特開平７−１６２７５０号公報
【発明の開示】
【発明が解決しようとする課題】
【０００３】
しかしながら，前記特許文献１の技術では，メニュー画面の表示位置や表示サイズを変更するための操作を視聴者が行う必要がある。そのため，視聴者は，映像表示部との位置関係が変わる度に，メニュー画面の表示位置や表示サイズを変更するという煩雑な作業を行わなければ，該メニュー画面を見やすい状態に維持することができないという問題があった。
従って，本発明は上記事情に鑑みてなされたものであり，その目的とするところは，予め設定されたメニュー画面などの表示項目が常に視聴者から見やすくなるように，該表示項目の表示位置や表示サイズを自動設定することのできる映像表示装置を提供することにある。
【課題を解決するための手段】
【０００４】
上記目的を達成するために本発明は，入力された映像信号に基づいて映像を表示する映像表示部と，前記映像表示部に表示される映像に関して少なくとも表示位置及び／又は表示サイズを設定する表示形態設定手段とを備えてなる映像表示装置に適用されるものであって，前記映像表示部に表示される映像を視聴する視聴者の位置を検出する視聴者位置検出手段を備えている。そして，本発明に係る前記映像表示装置は，前記表示形態設定手段が，予め設定された表示項目の前記映像表示部上の表示位置や表示サイズを，前記視聴者位置検出手段によって検出された視聴者の位置に応じて設定することを特徴として構成される。
本発明によれば，視聴者の位置に応じて前記表示項目の前記映像表示部上の表示位置や表示サイズが自動的に設定されるため，視聴者が移動する度に前記表示項目の表示が見やすくなるように同設定をするための視聴者による煩雑な操作を省くことが可能となる。なお，本発明は，前記映像表示部の表示領域が大型化するほど好適である。
【０００５】
具体的には，視聴者の位置と，該位置から前記表示項目が見やすい前記映像表示部上の表示位置や表示サイズとを対応づけた表示設定情報が予め記憶された表示設定情報記憶手段を設けておくことが考えられる。そして，前記表示形態設定手段は，前記視聴者位置検出手段によって検出された視聴者の位置と，前記表示設定情報記憶手段に記憶された前記表示設定情報とに基づいて，前記表示項目の映像表示部上の表示位置や表示サイズを設定するように構成される。これにより，視聴者の位置から常に見やすい状態で前記表示項目を表示させることが可能である。
ここに，前記表示項目は，例えば当該映像表示装置に関する各種の設定を行うためのメニュー画面であることが考えられる。
ところで，前記視聴者位置検出手段による視聴者の位置検出手法としては，例えば，当該映像表示装置に無線信号を送信することによって当該映像表示装置の遠隔操作を行う遠隔操作器の位置を検出することで視聴者の位置を検出することが考えられる。
【０００６】
さらに具体的には，前記遠隔操作器から送信される無線信号を前記映像表示部の水平方向や垂直方向における異なる位置で受信する複数のリモコン受信手段と，前記リモコン受信手段各々による前記無線信号の受信強度を検出する受信強度検出手段とを備えてなり，前記視聴者位置検出手段が，前記受信強度検出手段で検出された前記リモコン受信手段各々による前記無線信号の受信強度に基づいて前記遠隔操作器の位置を検出するものであることが考えられる。
例えば，前記リモコン受信手段に，水平方向や垂直方向における異なる方向の所定範囲に無線通信の指向性を有する複数の受信部を設けておき，前記受信強度検出手段で，前記受信部各々による前記無線信号の受信強度を検出すれば，前記視聴者位置検出手段は，前記リモコン受信手段ごとに前記受信強度検出手段で検出された複数の前記受信部による無線信号の受信強度の比に基づいて該リモコン受信手段から前記遠隔操作器に対する角度を検出し，異なる前記リモコン受信手段についての検出角度に基づいて前記遠隔操作器の位置を検出することが可能である。
【０００７】
ここに，前記遠隔操作器は，例えば赤外線によって無線信号を送信するものであることが考えられる。
ところで，視聴者が移動する場合には，その視聴者と前記映像表示部との距離や位置関係が変化することになる。そこで，前記表示形態設定手段は，視聴者の移動に伴って前記表示項目の表示位置や表示サイズを随時変更する構成であってもよい。
【発明の効果】
【０００８】
本発明によれば，視聴者の位置に応じて予め設定された前記表示項目の前記映像表示部上の表示位置や表示サイズが自動的に設定されるため，視聴者が移動する度に前記表示項目の表示が見やすくなるように同設定をするための視聴者による煩雑な操作を省くことが可能となる。なお，本発明は，前記映像表示部の表示領域が大型化するほど好適である。
【発明を実施するための最良の形態】
【０００９】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施の形態に係る映像表示装置Ｘの外観図，図２は前記映像表示装置Ｘのシステム構成の概略を示すブロック図，図３は前記映像表示装置Ｘに設けられたリモコン受光部３１を説明するための図，図４は前記映像表示装置Ｘにおいて実行される表示形態制御処理の手順の一例を説明するためのフローチャート，図５及び図６は前記表示形態制御処理による表示結果の一例を説明するための図である。
ここに，本発明の実施の形態に係る映像表示装置Ｘは，例えば，アンテナ等により受信されたテレビジョン放送信号に基づく映像を表示するテレビジョン受像機や，パーソナルコンピュータに用いられるディスプレイ装置などである。なお，前記映像表示装置Ｘが，テレビジョン受像機である場合には，一般的なテレビジョン受像機に設けられるディジタルチューナやスピーカーなどの構成部品を備えるが，ここではそれらの説明を省略する。
【００１０】
まず，図１及び図２を用いて，前記映像表示装置Ｘの概略構成について説明する。
本発明の実施の形態に係る映像表示装置Ｘは，図１及び図２に示すように，液晶表示部１（映像表示部の一例），リモコン（遠隔操作器）２，リモコン受光部３１〜３４，映像処理部１１，制御回路１２，モニターマイコン１３などを備えている。
前記映像処理部１１は，外部から入力される映像信号に対して各種信号処理を行った後，その映像信号を前記液晶表示部１に出力し，該液晶表示部１に映像を表示させる。前記液晶表示部１は，前記映像処理部１１から入力された映像信号に基づいて映像（例えば放送番組の映像）を表示する液晶パネルなどである。
また，前記映像処理部１１は，前記液晶表示部１で表示中の映像に，前記制御回路１２から指定された情報の映像（画像）をスーパーインポーズする（重ね合わせる）ＯＳＤ機能を備えている。前記ＯＳＤ機能は，例えば前記映像表示装置Ｘに関する各種の設定を行うためのメニュー画面の表示や，表示中の映像に関する情報（例えば，テレビ番組のチャンネル）の表示などに用いられる。
【００１１】
さらに，前記映像処理部１１は，前記液晶表示部１に表示させる映像に関して少なくとも表示位置や表示サイズなどを調整する表示形態調整機能を備えている。例えば，前記映像処理部１１は，前記メニュー画面を表示する際に，前記制御回路１２からの指示に基づいてそのメニュー画面の表示位置や表示サイズを調整する。
前記制御回路１２は，演算手段であるＣＰＵ１２ａ，そのＣＰＵ１２ａによって実行される制御プログラムが予め格納される記憶手段であるＲＯＭ１２ｂ（ＥＰＲＯＭ），前記ＣＰＵ１２ａが実行する処理において読み書き（参照又は書き込み）される各種データを記憶するフラッシュメモリ等の不揮発メモリ１２ｃ等を備え，当該映像表示装置Ｘ全体を制御するものである。
【００１２】
前記リモコン２は，視聴者による前記リモコン２に対する操作入力情報を，所定の信号伝送プロトコルに従って赤外線による無線信号で送信することにより，前記映像表示装置Ｘの遠隔操作を行うリモート操作器である。
例えば，前記リモコン２に設けられたメニューキーが操作されると，該リモコン２からメニュー画面の表示を要求するためのメニュー表示要求信号が送信される。これにより，前記映像表示装置Ｘでは，前記液晶表示部１に前記メニュー画面が表示され，視聴者は，前記メニュー画面に従って表示画面の色の濃淡や時計設定などの初期設定を行う。
【００１３】
前記リモコン受光部３１〜３４は，前記液晶表示部１の外周の四隅に設けられ，前記リモコン２から照射される赤外線を受光することにより，該リモコン２から送信された無線信号を受信する。ここで，前記リモコン受光部３１及び３４と，前記リモコン受光部３２及び３３との各々は，前記リモコン２から送信される無線信号を前記液晶表示部１の水平方向における異なる位置で受信するものである。また，前記リモコン受光部３１及び３２と，前記リモコン受光部３３及び３４との各々は，前記リモコン２から送信される無線信号を前記液晶表示部１の垂直方向における異なる位置で受信するものである。
前記リモコン受光部３１〜３４各々で受信された無線信号は，前記モニターマイコン１３に入力される。前記モニターマイコン１３は，前記リモコン受光部３１〜３４から入力される無線信号をデコード（復号）して前記制御回路１２に入力するものである。これにより，前記制御回路１２では，前記無線信号に対応する処理が実行される。
【００１４】
ここで，図３を用いて，前記リモコン受光部３１〜３４各々の構成について説明する。なお，ここでは前記リモコン受光部３１を例に挙げて説明し，該リモコン受光部３１と同様に構成された前記リモコン受光部３２〜３４の説明を省略する。
ここに，図３（ａ）は前記映像表装置Ｘを上方から見た要部模式図，図３（ｂ）は前記映像表装置Ｘを側方から見た要部模式図，図３（ｃ）はリモコン受光部３１に設けられた受光素子３１ａ，３１ｂの受光レベルを示す図，図３（ｄ）はリモコン受光部３１に設けられた受光部３１ｃ，３１ｄの受光レベルを示す図である。
【００１５】
図３（ａ），（ｂ）に示すように，前記リモコン受光部３１は，異なる方向の所定範囲に無線通信の指向性を有する４つの受光素子３１ａ〜３１ｄ（受信部の一例）を有している。
具体的に，図３（ａ）に示すように，前記受光素子３１ａ，３１ｂは，水平方向における異なる方向の所定範囲に指向性を有するように向けられている。このとき，前記受光素子３１ａ，３１ｂは，前記液晶表示部１の表示面に垂直な方向を基準に指向範囲（受光範囲）が左右対称となるように配置されている。
また，図３（ｂ）に示すように，前記受光素子３１ｃ，３１ｄは，垂直方向における異なる方向の所定範囲に指向性を有するように向けられている。このとき，前記受光素子３１ｃ，３１ｄは，前記液晶表示部１の表示面に垂直な方向を基準に指向範囲（受光範囲）が上下対称となるように配置されている。
【００１６】
このように，前記リモコン受光部３１では，前記受光素子３１ａ〜３１ｄ各々の指向範囲が異なる方向に向けられているため，該リモコン受光部３１に対して赤外線を照射する前記リモコン２の位置によって，前記受光素子３１ａ〜３１ｄ各々で受光される赤外線の受光レベルが変化する。
なお，前記受光素子３１ａ〜３１ｄ各々により受信された無線信号は，前記モニターマイコン１３に入力される。なお，前記リモコン受光部３２〜３４についても同様に，受光素子３２ａ〜３２ｄ，３３ａ〜３３ｄ，３４ａ〜３４ｄを有しており，これらにより受信された無線信号も前記モニターマイコン１３に入力される。
ここで，前記モニターマイコン１３は，前記リモコン受光部３１〜３４各々に設けられた前記受光素子３１ａ〜３１ｄ，３２ａ〜３２ｄ，３３ａ〜３３ｄ，３４ａ〜３４ｄ各々による赤外線の受光レベル（信号強度）を検出する機能を有している。前記モニターマイコン１３で検出された受光レベルは，前記制御回路１２に入力される。ここに，前記モニターマイコン１３が受信強度検出手段の一例である。
【００１７】
具体的に，図３（ａ）〜（ｄ）を参照しつつ，前記リモコン２の位置による前記リモコン受光部３１の受光素子３１ａ〜３１ｄ各々による受光レベルの変化について説明する。
まず，図３（ａ），（ｃ）を参照しつつ，前記リモコン２の水平位置の変化による受光レベルの変化を考える。
図３（ａ）に示すように，前記リモコン２が水平位置Ｐ１にある場合，該リモコン２は，前記受光素子３１ａの指向範囲に含まれているが，前記受光素子３１ｂの指向範囲からは外れている。そのため，図３（ｃ）に示すように，前記リモコン２から照射される赤外線の受光レベルは，前記受光素子３１ｂに比べて前記受光素子３１ａの方が大きくなる。
また，図３（ａ）に示すように，前記リモコン２が水平位置Ｐ２にある場合，該リモコン２は，前記受光素子３１ａ，３１ｂ各々の指向範囲に含まれる。従って，図３（ｃ）に示すように，前記受光素子３１ａ，３１ｂ各々による受光レベルはほぼ同じである。
【００１８】
一方，図３（ａ）に示すように，前記リモコン２が水平位置Ｐ３にある場合，該リモコン２は，前記受光素子３１ｂの指向範囲に含まれているが，前記受光素子３１ａの指向範囲からは外れることになる。
そのため，図３（ｃ）に示すように，前記リモコン２から照射される赤外線の受光レベルは，前記受光素子３１ａに比べて前記受光素子３１ｂの方が大きくなる。
このように，前記リモコン受光部３１では，前記受光素子３１ａ及び前記受光素子３１ｂによる受光レベルの比は，前記リモコン２から前記リモコン受光部３１に対する赤外線の照射角度によって異なる。
従って，前記受光素子３１ａ及び前記受光素子３１ｂの受光レベルの比によって，前記液晶表示部１から前記リモコン２に対する水平方向の角度を検出することが可能である。
【００１９】
次に，図３（ｂ），（ｄ）を参照しつつ，前記リモコン２の垂直位置の変化による受光レベルの変化を考える。
図３（ｂ）に示すように，前記リモコン２が垂直位置Ｐ４にある場合，該リモコン２は，前記受光素子３１ｃの指向範囲に含まれているが，前記受光素子３１ｄの指向範囲からは外れている。そのため，図３（ｄ）に示すように，前記リモコン２から照射される赤外線の受光レベルは，前記受光素子３１ｄに比べて前記受光素子３１ｃの方が大きくなる。
また，図３（ｂ）に示すように，前記リモコン２が水平位置Ｐ５にある場合，該リモコン２は，前記受光素子３１ｃ，３１ｄ各々の指向範囲に含まれる。従って，図３（ｄ）に示すように，前記受光素子３１ｃ，３１ｄ各々による受光レベルはほぼ同じである。
【００２０】
一方，図３（ｂ）に示すように，前記リモコン２が水平位置Ｐ６にある場合，該リモコン２は，前記受光素子３１ｄの指向範囲に含まれているが，前記受光素子３１ｃの指向範囲からは外れることになる。
そのため，図３（ｄ）に示すように，前記リモコン２から照射される赤外線の受光レベルは，前記受光素子３１ｃに比べて前記受光素子３１ｄの方が大きくなる。
このように，前記リモコン受光部３１では，前記受光素子３１ｃ及び前記受光素子３１ｄによる受光レベルの比は，前記リモコン２から前記リモコン受光部３１に対する赤外線の照射角度によって異なる。
従って，前記受光素子３１ｃ及び前記受光素子３１ｄの受光レベルの比によって，前記液晶表示部１から前記リモコン２に対する垂直方向の角度を検出することが可能である。
【００２１】
以下，図４に示すフローチャートを参照しつつ，前記制御回路１２（のＣＰＵ１２ａ）によって実行される表示形態制御処理の手順について説明する。なお，以下に示すＳ１，Ｓ２，…は，処理手順（ステップ）の識別符号を表す。
まず，前記制御回路１２は，前記リモコン２から無線信号を受信したか否かを判断する（Ｓ１）。具体的に，前記制御回路１２は，前記リモコン受光部３１〜３４から前記モニターマイコン１３への無線信号の入力の有無に基づいて判断を行う。なお，前記リモコン２から無線信号を受信するまでの間，処理は当該ステップＳ１で待機される。
一方，前記リモコン２から無線信号を受信したと判断されると（Ｓ１のＹｅｓ側），処理はステップＳ２に移行する。
【００２２】
ステップＳ２では，前記制御回路１２は，前記リモコン２から受信された無線信号が，表示位置や表示サイズなどの表示形態を自動的に調整するべきものであると予め設定された表示項目（以下「自動調整表示項目」という）の表示を伴う内容であるか否かを判断する。
ここでは，前記メニュー画面が，前記自動調整表示項目として予め設定されているものとする。なお，前記メニュー画面は自動調整表示項目の単なる一例に過ぎず，例えば，前記映像表示装置Ｘがテレビジョン受像機である場合には，表示中のテレビ番組のチャンネル表示や，テレビ番組の内容表示，番組録画の予約設定画面などの表示項目を前記自動調整表示項目として設定しておくことも可能である。
ここで，前記無線信号が前記自動調整表示項目の表示を伴うものでなければ（Ｓ２のＮｏ側），当該表示形態制御処理は終了され，前記映像表示装置Ｘでは，その無線信号に従った処理が実行される。
一方，前記無線信号が前記自動調整表示項目の表示を伴うものである場合には（Ｓ２のＹｅｓ側），処理はステップＳ３に移行する。ここでは，前記リモコン２のメニューキーが押下されることにより，前記自動調整表示項目である前記メニュー画面の表示が要求されたものとする。
【００２３】
次に，ステップＳ３（Ｓ３１〜Ｓ３６）では，前記制御回路１２は，前記リモコン受光部３１〜３４各々による受光レベルに基づいて，前記リモコン２の位置を検出することにより，前記液晶表示部１に表示される映像を視聴する視聴者の位置を検出するための処理を実行する。ここに，係る処理を実行するときの前記制御回路１２が視聴者位置検出手段の一例である。なお，前記リモコン受光部３１〜３４は，前記リモコン２からの遠隔操作に用いられるリモコン受光部とは別に設けたものであってもよい。
なお，視聴者の位置を検出するための手法はこれに限られるものではない。例えば，超音波センサなどを用いて視聴者の位置を検出することが考えられる。また，視聴者の眼球に赤外線を照射してその反射光を検出する視線検出技術などを利用してもかまわない。
【００２４】
以下，前記ステップＳ３で実行されるステップＳ３１〜Ｓ３６について説明する。
（ステップＳ３１〜Ｓ３４）
まず，前記制御回路１２は，前記モニターマイコン１３に入力された前記リモコン受光部３１の受光素子３１ａ〜３１ｄ各々による受光レベルに基づいて，前記リモコン受光部３１から見た前記リモコン２の水平方向及び垂直方向の角度を検出する（Ｓ３１）。
具体的には，前述したように，前記受光素子３１ａ，３１ｂの受光レベルの比によって，前記リモコン２の水平方向の角度を検出し，前記受光素子３１ｃ，３１ｄの受光レベルの比によって，前記リモコン２の垂直方向の角度を検出する。
その後，前記制御回路１２は，同様に，前記リモコン受光部３２〜３４から見た前記リモコン２の水平方向及び垂直方向の角度を検出する（Ｓ３２〜Ｓ３４）。
ここで，前記リモコン２の位置の検出は，後述するように前記リモコン受光部３１〜３４のうちのいずれか３つのリモコン受光部を用いて行うことが可能であるため，前記リモコン受光部３１〜３４のいずれか３つのリモコン受光部から見た前記リモコン２の水平方向及び垂直方向の角度だけを検出してもよい。例えば，前記リモコン受光部３１〜３４に設けられた受光素子の受光レベルの平均値が高いものから順に３つのリモコン受光部を用いることが考えられる。
【００２５】
（ステップＳ３５）
そして，ステップＳ３５では，前記制御回路１２は，前記ステップＳ３１，３３で検出された前記リモコン受光部３１，３４から見た前記リモコン２の水平方向の角度に基づいて，三角測量の手法で前記リモコン２の水平方向の位置を検出する。これにより，前記液晶表示部１から見た視聴者の水平方向の位置及び前記液晶表示部１と視聴者との距離が特定される。
具体的には，前記リモコン受光部３１から見た前記リモコン２の方向と，前記リモコン受光部３４から見た前記リモコン２の方向との交点が，前記リモコン２の水平方向の位置となる。なお，前記ステップＳ３２，３３で検出された前記リモコン受光部３２，３３から見た前記リモコン２の水平方向の角度に基づいて検出してもよい。
【００２６】
（ステップＳ３６）
一方，ステップＳ３６では，前記制御回路１２は，前記ステップＳ３３，３４で検出された前記リモコン受光部３３，３４から見た前記リモコン２の垂直方向の角度に基づいて，三角測量の手法で前記リモコン２の垂直方向の位置を検出する。これにより，前記液晶表示部１から見た視聴者の垂直方向の位置及び前記液晶表示部１と視聴者との距離が特定される。
具体的には，前記リモコン受光部３３から見た前記リモコン２の方向と，前記リモコン受光部３４から見た前記リモコン２の方向との交点が，前記リモコン２の垂直方向の位置となる。なお，前記ステップＳ３１，３２で検出された前記リモコン受光部３１，３２から見た前記リモコン２の垂直方向の角度に基づいて検出してもよい。
【００２７】
このように，前記ステップＳ３（Ｓ３１〜Ｓ３６）において前記リモコン２の位置を検出することによって視聴者の位置が検出されると，前記制御回路１２は，その視聴者の位置に応じて，前記液晶表示部１上の前記メニュー画面の表示位置及び表示サイズを自動的に設定する（Ｓ４，Ｓ５）。具体的に，前記制御回路１２は，前記制御回路１２のＲＯＭ１２ｂなど（表示設定情報記憶手段の一例）に予め記憶された表示設定情報と，銭ステップＳ３で検出された視聴者の位置とに基づいて前記設定を行う。ここに，前記表示設定情報は，視聴者の位置と，該位置から前記メニュー画面が見やすい前記液晶表示部１上の表示位置や表示サイズとを対応づけたものである。
そして，その設定された表示位置及び表示サイズで前記メニュー画面を前記液晶表示部１に表示させるための指示を前記映像処理部１１に対して行う（Ｓ６）。これにより，前記映像処理部１１は，前記ステップＳ４，Ｓ５で設定された表示位置及び表示サイズで，前記液晶表示部１に前記メニュー画面を表示させる。このとき前記映像表示部１１による表示処理は，前記ＯＳＤ機能を用いたものであっても，該ＯＳＤ機能を用いないものであってもよい。
【００２８】
以下，視聴者が図５及び図６に示す位置Ｐ１０，Ｐ１１に居る場合の表示位置及び表示サイズの設定例について説明する。ここに，図５及び図６の（ａ）は前記映像表示装置Ｘを上方から見た要部模式図，（ｂ）は前記映像表示装置Ｘを側方から見た要部模式図，（ｃ）は視聴者側から見た前記液晶表示部１の表示例を示す図である。
まず，図５を用いて視聴者が位置Ｐ１０に居る場合について説明する。図５（ａ），（ｂ）に示すように，前記位置Ｐ１０は，前記液晶表示部１から見て中央よりも左方向，且つ中央よりも下方向に偏った位置である。
この場合，視聴者から見ると，前記液晶表示部１の右寄り，且つ下寄りの位置が最も見やすい位置となる。そのため，前記制御回路１２は，前記メニュー画面の水平方向の表示位置を，視聴者から見て前記液晶表示部１の右寄りの位置となるように設定し，前記メニュー画面の垂直方向の表示位置を，視聴者から見て前記液晶表示部１の下寄りの位置となるように設定する（ステップＳ４）。
【００２９】
また，視聴者は，前記液晶表示部１に近いほど該液晶表示部１の全体を見渡しにくくなる。そのため，視聴者が前記液晶表示部１に近い場合に，前記メニュー画面を大きく表示させると，視聴者がそのメニュー画面を見づらくなる。一方，視聴者が前記液晶表示部１から離れるほど，視聴者から見える前記液晶表示部１上の映像のサイズは小さくなって見づらくなる。
そこで，前記制御回路１２は，視聴者から前記液晶表示部１までの距離に応じて，前記メニュー画面を見やすくなるように該メニュー画面の表示サイズを自動的に設定する（ステップＳ５）。具体的には，視聴者の位置が前記液晶表示部１に近いほど，前記メニュー画面のサイズが小さく，遠いほど大きくなるように設定される。
そして，前記メニュー画面の表示位置及び表示サイズが調整されると，図５（ｃ）に示すように，前記液晶表示部１に表示される前記メニュー画面Ｍ１０は，視聴者側から見て右下端部に寄せられ，視聴者が前記メニュー画面全体を見ることができるような小さいサイズで表示される（ステップＳ６）。
【００３０】
次に，図６を用いて視聴者が位置Ｐ１１である場合について説明する。
図６（ａ），（ｂ）に示すように，前記位置Ｐ１１は，前記液晶表示部１から見て中央よりも右方向，且つ中央よりも上方向に偏った位置である。また，前記位置Ｐ１１は，前記位置Ｐ１０よりも前記液晶表示部１から遠い位置である。
この場合，視聴者から見ると，前記液晶表示部１の左寄り，且つ上寄りの位置が見やすい位置となる。そのため，前記制御回路１２は，前記メニュー画面の水平方向の表示位置を，視聴者から見て前記液晶表示部１の左寄りの位置となるように設定し，前記メニュー画面の垂直方向の表示位置を，視聴者から見て前記液晶表示部１の上寄りの位置となるように設定する（ステップＳ４）。
【００３１】
また，前述したように，前記制御回路１２は，視聴者から前記液晶表示部１までの距離に応じて，前記メニュー画面を見やすくなるように該メニュー画面の表示サイズを自動的に設定する（ステップＳ５）。ここでは，前記位置Ｐ１１が，前記位置Ｐ１０よりも前記液晶表示部１から遠いため，前記メニュー画面の表示サイズは，前記位置Ｐ１０のときよりも大きく設定される。
このように設定された表示位置及び表示サイズで前記メニュー画面の表示例を図６（ｃ）に示している。図６（ｃ）に示すように，前記液晶表示部１に表示される前記メニュー画面Ｍ１１は，視聴者側から見て左上端部に寄せられ，視聴者が見やすいように大きいサイズで表示される（ステップＳ６）。
【００３２】
以上説明したように，前記映像表示装置Ｘでは，前記制御回路１２によって前記表示形態制御処理が実行されることにより，視聴者の位置に応じてその視聴者から見やすくなるように，前記メニュー画面などの前記自動調整表示項目の表示位置や表示サイズなどが自動的に設定される。ここに，係る表示形態制御処理を実行するときの前記制御回路１２が表示形態設定手段に相当する。
従って，視聴者は，表示位置や表示サイズなどを調整するという煩雑な操作を行うことなく，常に見やすい状態で前記メニュー画面などの前記自動調整表示項目の表示を見ることができる。
【００３３】
なお，本実施の形態では，前記メニュー画面の表示位置を上下及び左右の両方向に調整する場合を例に挙げて説明したが，上下又は左右のいずれか一方向だけを調整する構成であってもよく，この場合には，その方向における異なる位置に複数のリモコン受光部を設けておけばよい。
また，前記液晶表示部１が大型である場合には，該液晶表示部１の四隅に前記リモコン受光部３１〜３４を設けているだけでは，前記リモコン２からの無線信号を３つ以上のリモコン受光部で受信することができない場合が考えられる。そのため，前記液晶表示部１が大型である場合には，該液晶表示部１の周りに設けるリモコン受光部の数を増加させて（例えば６個や８個など），少なくとも３つ以上のリモコン受光部で前記リモコン２からの無線信号を受信することができるように構成することが望ましい。
さらに，前記液晶表示部１の水平方向の中央部近傍に一つだけリモコン受光部を設けておき，該リモコン受光部から見て左方向，右方向，又は中央方向のいずれの方向に前記リモコン２が存在するか，即ち視聴者が前記リモコン受光部から見てどの方向に居るかを検出し，その方向に応じて前記液晶表示部１上における前記自動調整表示項目の表示位置を右，左，中央の３段階に切り換える簡易な構成であってもよい。
【実施例】
【００３４】
ここに，図７は，前記メニュー画面の表示中に前記映像表示装置Ｘと視聴者との位置関係が変化する場合の前記液晶表示部１上のメニュー画面の表示例を説明するための図である。また，図７の（ａ）は前記映像表示装置Ｘを上方から見た要部模式図，（ｂ）は前記映像表示装置Ｘを側方から見た要部模式図，（ｃ）は視聴者側から見た前記液晶表示部１の表示例を示す図である。
図７に示すように，視聴者が前記位置Ｐ１０で前記リモコン２を操作して前記メニュー画面Ｍ１０を表示させた後，前記位置Ｐ１１まで移動すると，該位置Ｐ１１からは前記メニュー画面Ｍ１０が見にくくなる。例えば，視聴者が，前記映像表示装置Ｘの近くに座った状態（位置Ｐ１０）から，立ち上がって該映像表示装置Ｘから離れる場合（位置Ｐ１１）が想定される。また，逆に，前記位置Ｐ１１で前記メニュー画面Ｍ１１を表示させた後，前記位置Ｐ１０まで移動した場合にも同様に，その位置Ｐ１０からは前記メニュー画面Ｍ１１が見にくくなる。
【００３５】
そこで，前記メニュー画面の表示中に視聴者が移動する場合には，その移動に追随して該メニュー画面の表示位置や表示サイズを随時変更することが望ましい。以下，本実施例では，このような構成について説明する。
まず，前記制御回路１２は，前記ステップＳ６（図４参照）の後で，前記リモコン２のメニューキーが押下された状態が継続しているか否かを判断する。ここで，前記メニューキーの押下状態が継続していないと判断された場合には，メニュー画面の表示位置及び表示サイズが確定される。
一方，前記制御回路１２は，前記メニューキーの押下状態が継続していると判断した場合には，処理を前記ステップＳ３に戻す。これにより，前記ステップＳ３では，前述したように前記リモコン２の位置を特定するための処理が実行され，続くステップＳ４，Ｓ５において，メニュー画面の表示位置及び表示サイズが設定される。そして，前記ステップＳ６では，その調整後の表示位置及び表示サイズでメニュー画面が表示される。
【００３６】
このように，前記制御回路１２が，前記リモコン２のメニューキーが押下されている間，前記ステップＳ３〜Ｓ６の処理を繰り返し実行することによって，図７（ｃ）に示すように，前記リモコン２の移動，即ち視聴者の移動に伴って前記メニュー画面の表示位置及び表示サイズを随時変更させることが可能である。これにより，視聴者は，前記リモコン２のメニューキーを押下しながら移動することで，その移動後の位置においても見やすい状態を維持することができる。
なお，ここでは前記メニューキーの押下状態を継続する場合を例に挙げたが，該メニューキーとは別に移動キーを設けておき，該移動キーの押下状態が継続している場合に上記の処理が実行されることも他の実施例として考えられる。もちろん，前記リモコン２の位置を検出する方法とは別の検出方法で視聴者の位置を検出する場合には，その検出手法によって視聴者の位置の変化を検出して，前記メニュー画面の表示位置及び表示サイズを随時調整すればよい。
【産業上の利用可能性】
【００３７】
本発明は，テレビジョン受像機やディスプレイ装置などの映像表示装置に利用可能である。
【図面の簡単な説明】
【００３８】
【図１】本発明の実施の形態に係る映像表示装置の外観図。
【図２】本発明の実施の形態に係る映像表示装置のシステム構成の概略を示すブロック図。
【図３】本発明の実施の形態に係る映像表示装置に設けられたリモコン受光部を説明するための図。
【図４】本発明の実施の形態に係る映像表示装置において実行される表示形態制御処理の手順の一例を説明するためのフローチャート。
【図５】本発明の実施の形態に係る映像表示装置において実行される表示形態制御処理よる表示結果の一例を説明するための図。
【図６】本発明の実施の形態に係る映像表示装置において実行される表示形態制御処理よる表示結果の一例を説明するための図。
【図７】メニュー画面の表示中に映像表示装置と視聴者との位置関係が変化する場合のメニュー画面の表示例を説明するための図。
【符号の説明】
【００３９】
１：液晶表示部（映像表示部の一例）
２：リモコン（遠隔操作器）
３１〜３４：リモコン受光部（リモコン受信手段の一例）
３１ａ〜３１ｄ，３２ａ〜３２ｄ，３３ａ〜３３ｄ，３４ａ〜３４ｄ：受光素子（受信部の一例）
１１：映像処理部
１２：制御回路
１３：モニターマイコン
Ｓ１，Ｓ２，…：ステップ（処理手順）
Ｘ：映像表示装置
【図１】
2009147455.tif 000003
【図２】
2009147455.tif 000004
【図３】
2009147455.tif 000005
【図４】
2009147455.tif 000006
【図５】
2009147455.tif 000007
【図６】
2009147455.tif 000008
【図７】
2009147455.tif 000009